(57)【特許請求の範囲】
【請求項１】
少なくとも音声を入力する音声入力手段を具備した１乃至複数の音声入力端末装置と、少なくとも音声を出力する音声出力手段を具備した１乃至複数の音声出力端末装置と、音声入力端末装置並びに音声出力端末装置と信号線で接続され音声入力端末装置と音声出力端末装置との間の呼制御を行う主装置とを備え、音声入力端末装置から音声出力端末装置へ信号線を介して音声信号を伝送する音声伝送システムであって、
音声入力端末装置は、前記音声入力手段と、音声入力手段より入力された音声を符号化する符号化手段と、符号化された音声データを変調する変調手段と、割り当てられたタイムスロットに前記変調された音声データを含む音声信号を格納し信号線を介して送信する送信手段と、信号線を介し呼制御用の制御信号を音声信号と周波数分割多重化して送受信する制御信号送受信手段とを具備し、
音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段と、信号線を介し呼制御用の制御信号を音声信号と周波数分割多重化して送受信する制御信号送受信手段とを具備し、
主装置は、前記タイムスロットを規定するための同期信号を信号線を介して各端末装置に送信する同期信号送信手段と、信号線を介して呼制御用の制御信号を送受信する制御信号送受信手段と、何れかの音声入力端末装置から呼確立要求の制御信号を受け取ったときに要求先の音声出力端末装置に対して呼確立要求の制御信号を送信するとともに要求元の音声入力端末装置並びに要求先の音声出力端末装置に対してタイムスロットの割り当てを通知する呼制御手段と、音声出力端末装置の音声出力手段から出力される報知音並びに音声メッセージを記憶する記憶手段と、記憶手段に記憶した報知音又は音声メッセージを符号化するとともに変調し且つ未使用のタイムスロットに格納して音声出力端末装置に送信する音データ送信手段とを具備し、
音声入力端末装置の送信手段並びに音声出力端末装置の受信手段は、主装置から割り当てられるタイムスロットに音声信号を格納して送受信し、
音声出力端末装置は、主装置から送信される報知音又は音声メッセージの信号を受信手段で受信するとともに復調手段で復調し且つ復調された報知音又は音声メッセージを復号化手段で復号化して音声出力手段から報知音又は音声メッセージを出力し、
主装置においては、同期信号送信手段が同期信号を常時送信するとともに音データ送信手段が特定の報知音又は音声メッセージの信号を特定のタイムスロットに格納して常時送信することを特徴とする音声伝送システム。
【請求項２】
主装置の音データ送信手段は、報知音並びに音声メッセージの種別に合わせて符号化方式並びに使用するタイムスロットの数を選択することを特徴とする請求項１記載の音声伝送システム。
【請求項３】
主装置の音データ送信手段は、前記特定の報知音又は音声メッセージの信号を特定の連続する複数のタイムスロットにそれぞれ格納して常時送信することを特徴とする請求項１又は２記載の音声伝送システム。
【発明の詳細な説明】
【技術分野】
【０００１】
本発明は、信号線を介して音声信号を伝送する音声伝送システムに関するものである。
【背景技術】
【０００２】
従来、信号線を介して音声信号を伝送する音声伝送システムとしては、例えば、集合住宅の共用玄関に設置されたロビーインターホンと、各住戸に設置された住戸機との間で信号線を介して音声信号を送受信するインターホンシステムがある（例えば、特許文献１参照）。かかる従来システムにおいては、音声信号を伝送するための信号線と呼制御用の信号線の２系統の線路でロビーインターホンと各住戸機が接続されていた。そして、ロビーインターホンから呼び出された住戸機では、内部に予め保持している報知音や音声メッセージをスピーカから出力して住人にロビーインターホンからの呼出を伝えるようになっていた。
【特許文献１】特開２００５−２６０３５９号公報
【発明の開示】
【発明が解決しようとする課題】
【０００３】
しかしながら、上述のような従来システムにおいては多数の端末装置（住戸機）がそれぞれ報知音や音声メッセージをメモリなどに記憶して保持しなければならず、端末装置のコスト上昇につながっていた。
【０００４】
本発明は上記事情に鑑みて為されたものであり、その目的は、音声出力端末装置が報知音並びに音声メッセージを保持する必要を無くしてコストダウンが図れる音声伝送システムを提供することにある。
【課題を解決するための手段】
【０００５】
請求項１の発明は、上記目的を達成するために、少なくとも音声を入力する音声入力手段を具備した１乃至複数の音声入力端末装置と、少なくとも音声を出力する音声出力手段を具備した１乃至複数の音声出力端末装置と、音声入力端末装置並びに音声出力端末装置と信号線で接続され音声入力端末装置と音声出力端末装置との間の呼制御を行う主装置とを備え、音声入力端末装置から音声出力端末装置へ信号線を介して音声信号を伝送する音声伝送システムであって、音声入力端末装置は、前記音声入力手段と、音声入力手段より入力された音声を符号化する符号化手段と、符号化された音声データを変調する変調手段と、割り当てられたタイムスロットに前記変調された音声データを含む音声信号を格納し信号線を介して送信する送信手段と、信号線を介し呼制御用の制御信号を音声信号と周波数分割多重化して送受信する制御信号送受信手段とを具備し、音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段と、信号線を介し呼制御用の制御信号を音声信号と周波数分割多重化して送受信する制御信号送受信手段とを具備し、主装置は、前記タイムスロットを規定するための同期信号を信号線を介して各端末装置に送信する同期信号送信手段と、信号線を介して呼制御用の制御信号を送受信する制御信号送受信手段と、何れかの音声入力端末装置から呼確立要求の制御信号を受け取ったときに要求先の音声出力端末装置に対して呼確立要求の制御信号を送信するとともに要求元の音声入力端末装置並びに要求先の音声出力端末装置に対してタイムスロットの割り当てを通知する呼制御手段と、音声出力端末装置の音声出力手段から出力される報知音並びに音声メッセージを記憶する記憶手段と、記憶手段に記憶した報知音又は音声メッセージを符号化するとともに変調し且つ未使用のタイムスロットに格納して音声出力端末装置に送信する音データ送信手段とを具備し、音声入力端末装置の送信手段並びに音声出力端末装置の受信手段は、主装置から割り当てられるタイムスロットに音声信号を格納して送受信し、音声出力端末装置は、主装置から送信される報知音又は音声メッセージの信号を受信手段で受信するとともに復調手段で復調し且つ復調された報知音又は音声メッセージを復号化手段で復号化して音声出力手段から報知音又は音声メッセージを出力し、主装置においては、同期信号送信手段が同期信号を常時送信するとともに音データ送信手段が特定の報知音又は音声メッセージの信号を特定のタイムスロットに格納して常時送信することを特徴とする。
【０００６】
請求項２の発明は、請求項１の発明において、主装置の音データ送信手段は、報知音並びに音声メッセージの種別に合わせて符号化方式並びに使用するタイムスロットの数を選択することを特徴とする。
【０００８】
請求項３の発明は、請求項１又は２の発明において、主装置の音データ送信手段は、前記特定の報知音又は音声メッセージの信号を特定の連続する複数のタイムスロットにそれぞれ格納して常時送信することを特徴とする。
【発明の効果】
【０００９】
請求項１の発明によれば、音声出力端末装置の音声出力手段から出力する報知音や音声メッセージを主装置から送信するので、音声出力端末装置が報知音並びに音声メッセージを保持する必要を無くしてコストダウンが図れる。また、例えば、緊急性の高い報知音や音声メッセージを特定のタイムスロットで主装置から常時送信しておき、音声出力端末装置が必要に応じて当該特定のタイムスロットを受信して前記緊急性の高い報知音や音声メッセージを音声出力手段から出力することができ、主装置による呼制御を介さないために速やかに且つ安定して特定の報知音又は音声メッセージを出力することができる。
【００１０】
請求項２の発明によれば、報知音や音声メッセージの種別に合わせて符号化方式並びに使用するタイムスロットの数を選択するので、報知音や音声メッセージの送信における伝送効率が向上する。
【００１２】
請求項３の発明によれば、特定の報知音又は音声メッセージの信号を特定の連続する複数のタイムスロットにそれぞれ格納して常時送信するので、特定の報知音又は音声メッセージを確実且つ安定して音声出力手段より出力することができる。
【発明を実施するための最良の形態】
【００１３】
本実施形態の音声伝送システムは、図１に示すように信号線Ｌｓを介して音声信号を送受信する複数台の端末装置２と、端末装置２と信号線Ｌｓで接続され、各端末装置２間の呼制御を行うとともに後述するタイムスロットＴＳｉ（ｉ＝１，２，…，ｎ）を規定するための同期信号ＳＹを送信する主装置１とを備えている。ここで、信号線Ｌｓにはペア線などの平衡線路を用いているが、同軸線のような不平衡線路であっても構わない。また、エンハンストカテゴリー５あるいはカテゴリー６のＬＡＮケーブルの１ペアやＣＰＥＶケーブルの１ペアを信号線Ｌｓに利用しても構わない。
【００１４】
端末装置２は、図１に示すようにマイクロホン２０ａ及びスピーカ２１ａと、マイクロホン２０ａの出力を増幅するマイクロホンアンプ２０ｂと、スピーカ２１ａへの入力を増幅するスピーカアンプ２１ｂと、マイクロホンアンプ２０ｂの出力をディジタル信号に変換するＡ／Ｄ変換器２０ｃと、通話制御部２２から出力されるディジタル信号をアナログ信号に変換してスピーカアンプ２１ｂに入力するＤ／Ａ変換器２１ｃと、ディジタル信号に変換された音声の符号化及び復号化を行う符号化／復号化部２２と、符号化／復号化御部２２で符号化された音声データを変調して音声信号を生成し且つ信号線Ｌｓから取り込まれた音声信号から音声データを復調する変復調部２３と、変復調部２３から出力される音声信号を増幅する送信アンプ２４ａと、変復調部２３に入力する音声信号を増幅する受信アンプ２４ｂと、ＣＰＵを主構成要素とし各部を制御する制御部２５と、主装置１との間で信号線Ｌｓを介して制御信号を送受信する制御信号送受信部２６と、送信アンプ２４ａから出力される音声信号と制御信号送受信部２６から出力される制御信号を周波数分割多重化して信号線Ｌｓに送出するとともに信号線Ｌｓから取り込まれる音声信号と制御信号を分離して音声信号を受信アンプ２４ｂに出力し且つ制御信号を制御信号送受信部２６に出力する分離多重部２７とを具備する。すなわち、本実施形態における端末装置２は、音声を入力する音声入力手段（マイクロホン２０ａ）と音声を出力する音声出力手段（スピーカ２１ａ）を双方とも具備しているので、音声入力端末装置であると同時に音声出力端末装置でもある。但し、端末装置２の構成はこれに限定されるものではなく、音声入力手段を有し且つ音声出力手段を有しない音声入力端末装置、あるいは音声出力手段を有し且つ音声入力手段を有しない音声出力端末装置として構成されたものであっても構わない。なお、各端末装置２には固有の識別符号（ＩＤ）が付与されており、この識別符号によって各端末装置２が識別可能となっている。
【００１５】
主装置１は、ＣＰＵを主構成要素とする制御部１０と、端末装置２との間で制御信号を送受信する制御信号送受信部１１と、制御部１０から与えられる同期データ（後述する）を変調して同期信号ＳＹを生成する変調部１２と、変調部１２で変調された同期信号ＳＹと制御信号送受信部１１から出力する制御信号を周波数分割多重化して信号線Ｌｓに送出するとともに信号線Ｌｓから取り込まれる制御信号を分離して制御信号送受信部１１に出力する分離多重部１３と、後述する報知音や音声メッセージを記憶するメモリ部１４と、制御部１０によってメモリ部１４から読み出される報知音や音声メッセージを数種類の音声符号化方式のうちから制御部１０で選択された方式により符号化する符号化部１５とを具備する。なお、メモリ部１４に記憶する報知音や音声メッセージは、例えば、後述する呼制御において呼出先の端末装置２で鳴動する呼出音や報知メッセージ、あるいは火災や地震等の災害発生時における避難勧告や避難誘導のための報知音や音声メッセージなどである。
【００１６】
制御部１０は、メモリ部１４を制御し、メモリ部１４に記憶されてある報知音や音声メッセージのデータを符号化部１５へ転送させる。符号化部１５では、メモリ部１４から転送されてきた報知音や音声メッセージのデータを、制御部１０に指定された符号化方式で符号化し、変調部１２に出力する。符号化部１５は、ＰＣＭ（Pulse Code Modulation）、ＡＤＰＣＭ（Adaptive Differential Pulse Code Modulation）、ＣＥＬＰ（Code Excited Linear Prediction）の３種類の符号化方式で符号化可能であり、報知音のようにデータ量が少ないものについてはＣＥＬＰ方式、音声メッセージのようにデータ量が多いものについてはＰＣＭあるいはＡＤＰＣＭ方式が指定される。さらに変調部１２では、符号化部１５で符号化された報知音や音声メッセージを、制御部１０に指定されたディジタル変調方式で変調して出力する。変調部１２は、ＢＰＳＫ（Binary Phase Shift Keying）、ＱＰＳＫ（Quadrature Phase Shift Keying）、１６ＱＡＭ（Quadrature Amplitude Modulation）、６４ＱＡＭの４種類の変調方式で変調可能であり、報知音のようにデータ量が少ないものについてはＢＰＳＫやＱＰＳＫ方式、音声メッセージのようにデータ量が多いものについては１６ＱＡＭや６４ＱＡＭ方式が指定される。
【００１７】
同期信号ＳＹは、図２（ａ）に示すようにヘッダ部とデータ部で構成される。ヘッダ部は、プリアンブル、パケット種別、変調方式、データ長、誤り訂正符号で構成される。一方、データ部は、同期データ（実際は空）及び誤り訂正符号で構成される。また、図２（ｂ）に示すように音声信号もヘッダ部とデータ部で構成される。ヘッダ部は、プリアンブル、送信元の端末装置２を示す識別符号（ＩＤ）、パケット種別、変調方式、データ長、誤り訂正符号で構成される。一方、データ部は、音声データと誤り訂正符号とで構成される。
【００１８】
主装置１並びに端末装置２においては、図３に示すように同期信号ＳＹの立ち下がりから所定時間が経過した時点を先頭のタイムスロットＴＳ１の開始時点とし、次の同期信号ＳＹが立ち上がるまでの期間（信号送信期間）内に複数（ｎ個）のタイムスロットＴＳ１，ＴＳ２，…，ＴＳｎを配置している。ここで、本実施形態では信号送信期間内にｎ個のタイムスロットＴＳｉを配置しているから、最大ｎ／２台の端末装置２が１対１で音声信号を送受信できる。
【００１９】
次に、図４を参照して２台の端末装置２間で一対一の通話（個別通話）を行う場合における本実施形態の動作を説明する。なお、以下では端末装置Ａと端末装置Ｂの２台が個別通話を行う場合を例示する。
【００２０】
まず、端末装置Ａにおいて呼出釦（図示せず）が操作されると制御部２５が相手の端末装置Ｂを呼び出すための呼出（呼確立）要求を生成して制御信号送信部２６に与え、制御信号送信部２６が呼出要求と自己の識別符号並びに相手の識別符号を制御信号により多重分離部２７を介して信号線Ｌｓに送出する。
【００２１】
一方、主装置１では、信号線Ｌｓを介して伝送される制御信号を制御信号送受信部１１で受信し、受信した制御信号に含まれる呼出要求、呼出元（要求元）の識別符号、呼出先（要求先）の識別符号を制御部１０に渡す。制御部１０は呼出先の識別符号を宛先として呼出要求並びに報知音（呼出音）のデータを格納するタイムスロットＴＳｉの割り当てを含む制御信号を制御信号送受信部１１により送信させる。さらに、制御部１０は同期データ（実際は空）を与えることで変調部１２から同期信号ＳＹを出力させて信号線Ｌｓに送出させるとともに、メモリ部１４から読み出した呼出音のデータを符号化方式を指定して符号化部１５に与える。符号化部１５では制御部１０に指定された符号化方式（例えば、ＣＥＬＰ方式）で呼出音のデータを符号化して変調部１２に出力し、変調部１２では制御部１０で指定された変調方式により符号化された呼出音のデータを変調する。そして、変調部１２で変調された呼出音のデータを含む音声信号が制御部１０で指定されたタイムスロットＴＳｉに格納されて送信される。ここで、制御部１０では符号化後のデータ量に合わせて、例えば、ＣＥＬＰ方式で符号化されている場合は１つのタイムスロットＴＳｉのみを割り当て、ＡＤＰＭＣ方式で符号化されている場合は２つのタイムスロットＴＳｉを割り当て、ＰＣＭ方式で符号化されている場合は３つのタイムスロットＴＳｉを割り当てる。
【００２２】
呼出先の端末装置Ｂの制御信号送受信部２６が主装置１から送信された制御信号を受信し、受信した制御信号に含まれる呼出要求並びに呼出音のデータを格納するタイムスロットＴＳｉの割り当てを制御部２５に渡すと、制御部２５は割り当てられたタイムスロットＴＳｉに格納されている信号を変復調部２３で復調させるとともに符号化／復号化部２２で復号化しＤ／Ａ変換器２１ｃでアナログ信号に変換してスピーカ２１ａから呼出音を鳴動させる。そして、端末装置Ｂにおいて応答釦（図示せず）が操作されると、制御部２５では、呼出元の端末装置Ａと個別通話することを了解した旨の肯定応答を生成して制御信号送信部２６に与え、制御信号送信部２６が肯定応答と自己の識別符号を制御信号により多重分離部２７を介して信号線Ｌｓに送出する。
【００２３】
主装置１においては、信号線Ｌｓを介して伝送される制御信号を制御信号送受信部１１で受信し、受信した制御信号に含まれる肯定応答、呼出先（要求先）の識別符号を制御部１０に渡し、制御部１０は呼出元の識別符号を宛先として呼確立通知を含む制御信号を制御信号送受信部１１により送信させる。さらに、制御部１０は呼出元並びに呼出先の各端末装置Ａ，Ｂに対してそれぞれが音声信号を格納するタイムスロットＴＳ１，ＴＳ２の割り当てを通知するための制御信号を制御信号送受信部１１より送信させる。
【００２４】
そして、呼出元の端末装置Ａ並びに呼出先の端末装置Ｂにおいて、マイクロホン２０ａで集音され符号化／復号化部２２で符号化され変復調部２３で変調された音声信号を、主装置１から自己に割り当てられたタイムスロットＴＳ１又はＴＳ２に格納して信号線Ｌｓを介して送信し、相手に割り当てられたタイムスロットＴＳ２又はＴＳ１に格納されている音声信号を取り込んで変復調部２３で復調するとともに音声データを符号化／復号化部２２で復号化してスピーカ２１ａから相手の通話音声を鳴動させる。このようにして２台の端末装置Ａ，Ｂが互いに別のタイムスロットＴＳ１，ＴＳ２を使って音声信号を送受信することで個別通話が可能となる。ここで、個別通話においては２つのタイムスロットが占有されることになるから、合計ｎ個のタイムスロットが存在する場合は、最大でｎ／２組の端末装置２が同時に個別通話できることになる。
【００２５】
次に、図５を参照して３台の端末装置２間で多対多の通話（一斉通話）を行う場合における本実施形態の動作を説明する。なお、以下では端末装置Ａと端末装置Ｂと端末装置Ｃの３台が一斉通話を行う場合を例示する。
【００２６】
まず、端末装置Ａにおいて一斉呼出釦（図示せず）が操作されると制御部２５が他の端末装置Ｂ，Ｃを一斉に呼び出すための一斉呼出要求を生成して制御信号送信部２６に与え、制御信号送信部２６が一斉呼出要求と自己の識別符号を制御信号により多重分離部２７を介して信号線Ｌｓに送出する。
【００２７】
一方、主装置１では、信号線Ｌｓを介して伝送される制御信号を制御信号送受信部１１で受信し、受信した制御信号に含まれる一斉呼出要求と呼出元の識別符号を制御部１０に渡す。制御部１０は一斉呼出先の識別符号をそれぞれ宛先として呼出要求並びに報知音（呼出音）のデータを格納するタイムスロットＴＳｉの割り当てを含む制御信号を制御信号送受信部１１により送信させる。さらに、制御部１０は同期データ（実際は空）を与えることで変調部１２から同期信号ＳＹを出力させて信号線Ｌｓに送出させるとともに、メモリ部１４から読み出した呼出音のデータを符号化方式を指定して符号化部１５に与える。符号化部１５では制御部１０に指定された符号化方式（例えば、ＣＥＬＰ方式）で呼出音のデータを符号化して変調部１２に出力し、変調部１２では制御部１０で指定された変調方式により符号化された呼出音のデータを変調する。そして、変調部１２で変調された呼出音のデータを含む音声信号が制御部１０で指定されたタイムスロットＴＳｉに格納されて送信される。
【００２８】
一斉呼出先の端末装置Ｂ，Ｃの制御信号送受信部２６が主装置１から送信された制御信号を受信し、受信した制御信号に含まれる一斉呼出要求並びに呼出音のデータを格納するタイムスロットＴＳｉの割り当てを制御部２５に渡すと、制御部２５は割り当てられたタイムスロットＴＳｉに格納されている信号を変復調部２３で復調させるとともに符号化／復号化部２２で復号化しＤ／Ａ変換器２１ｃでアナログ信号に変換してスピーカ２１ａから呼出音を鳴動させる。そして、端末装置Ｂ，Ｃにおいて応答釦（図示せず）が操作されると、制御部２５では一斉通話することを了解した旨の肯定応答を生成して制御信号送信部２６に与え、制御信号送信部２６が肯定応答と自己の識別符号を制御信号により多重分離部２７を介してそれぞれ信号線Ｌｓに送出する。
【００２９】
主装置１においては、信号線Ｌｓを介して伝送される制御信号を制御信号送受信部１１で受信し、受信した制御信号に含まれる肯定応答、一斉呼出先の識別符号を制御部１０に渡し、制御部１０は呼出元の識別符号を宛先として呼確立通知を含む制御信号を制御信号送受信部１１により送信させる。さらに、制御部１０は呼出元並びに呼出先の各端末装置Ａ，Ｂ，Ｃに対してそれぞれが音声信号を格納するタイムスロットＴＳｉの割り当てを通知するための制御信号を制御信号送受信部１１より送信させた後、同期データ（実際は空）を与えることで変調部１２から同期信号ＳＹを出力させて信号線Ｌｓに送出させる。ここで、一斉通話の場合には各端末装置Ａ，Ｂ，Ｃ毎に送話（送信）用のタイムスロットＴＳ１，ＴＳ２，ＴＳ３と受話（受信）用のタイムスロットＴＳ４，ＴＳ５，ＴＳ６がそれぞれ割り当てられる。
【００３０】
そして、各端末装置Ａ，Ｂ，Ｃにおいては、マイクロホン２０ａで集音され符号化／復号化部２２で符号化され変復調部２３で変調された音声信号を、主装置１から自己に割り当てられた送話用のタイムスロットＴＳ１，ＴＳ２，ＴＳ３に格納して信号線Ｌｓを介して送信する。ここで主装置１においては、送信用のタイムスロットＴＳ１，ＴＳ２，ＴＳ３に格納された音声信号を制御部１０に取り込み、制御部１０で端末装置Ｂ，Ｃから送信された音声データを結合した音声信号を生成して端末装置Ａに割り当てた受信用のタイムスロットＴＳ４に格納するとともに、端末装置Ａ，Ｃから送信された音声データを結合した音声信号を生成して端末装置Ｂに割り当てた受信用のタイムスロットＴＳ５に格納し、さらに端末装置Ａ，Ｂから送信された音声データを結合した音声信号を生成して端末装置Ｃに割り当てた受信用のタイムスロットＴＳ６に格納する。
【００３１】
したがって、端末装置Ａ，Ｂ，Ｃでは受信用のタイムスロットＴＳ４，ＴＳ５，ＴＳ６に格納されている音声信号を取り込んで変復調部２３で復調するとともに音声データを符号化／復号化部２２で復号化してスピーカ２１ａから鳴動させることにより、端末装置Ａでは他の端末装置Ｂ，Ｃから送信された音声が聞こえ、端末装置Ｂでは他の端末装置Ａ，Ｃから送信された音声が聞こえるとともに、端末装置Ｃでは他の端末装置Ａ，Ｂから送信された音声が聞こえるために一斉通話が可能となる。
【００３２】
上述のように本実施形態によれば、端末装置２のスピーカ２１ａから出力する報知音や音声メッセージを主装置１から送信するので、端末装置２が報知音並びに音声メッセージを保持する必要を無くしてコストダウンが図れるものである。しかも、報知音や音声メッセージの種別に合わせて符号化方式並びに使用するタイムスロットＴＳｉの数を選択するので、報知音や音声メッセージの送信における伝送効率が向上するという利点がある。
【００３３】
ところで、火災や地震等の災害発生時における避難勧告や避難誘導のための報知音や音声メッセージのように緊急性の高い報知音や音声メッセージを主装置１から端末装置２に送信する場合、上述の個別通話や一斉通話のように呼制御の手順で送信すると速やか且つ安定して端末装置２で出力し難くなることが考えられる。そこで、上述のような緊急性の高い報知音や音声メッセージについては予め特定のタイムスロットＴＳｉを割り当てて主装置１から同期信号ＳＹとともに常時送信しておき、端末装置２の制御部２５が必要に応じて当該特定のタイムスロットＴＳｉを受信して緊急性の高い報知音や音声メッセージをスピーカ２１ａから鳴動させるようにすれば、主装置１による呼制御を介さないために速やかに且つ安定して緊急性の高い報知音や音声メッセージを端末装置２で出力（鳴動）することができる。このとき、主装置１の音データ送信手段たる制御部１０において、特定の報知音又は音声メッセージ（例えば、上述の緊急性の高い報知音や音声メッセージ）を連続する複数のタイムスロットＴＳｉにそれぞれ格納して常時送信すれば、かかる特定の報知音又は音声メッセージの受信ミスを防いで確実且つ安定して端末装置２のスピーカ２１ａより鳴動させることができる。
【００３４】
なお、本実施形態では制御信号によって端末装置２に対するタイムスロットＴＳｉの割り当てを通知しているが、制御信号の代わりに同期信号ＳＹによってタイムスロットＴＳｉの割り当てを各端末装置２に通知することも可能である。例えば、同期信号ＳＹのデータ部を構成する同期データとして各端末装置２の識別符号とタイムスロットＴＳｉの割り当てを対応させるデータを送信すればよい。このように同期信号ＳＹを使ってタイムスロットＴＳｉの割り当てを通知すれば、タイムスロットＴＳｉの割り当てを通知するために制御信号を伝送する手順が不要となる。
【００３５】
ここで、図６に示すようにゲート装置１０３の接続口に対して機能モジュール１０８のコネクタを接続するだけで機能モジュール１０８の電力路と、情報路とを同時に確保でき、しかも機能モジュール１０８をどのゲート装置１０３にも接続できるレイアウトフリーで施工性に優れた配線システムがある。かかる配線システムは、建物内の適所において埋め込み配設している１乃至複数のスイッチボックス１０２を設け、各スイッチボックス１０２間に壁面内に先行配線した電力線１１０と、情報線１１１とを送り配線するとともに、始端のスイッチボックス１０２に対しては、配線盤１０１内に引き込まれた主幹ブレーカＭＢと分岐ブレーカＢＢとを介して屋内に引き込まれた力線１１０と、外部のインターネット網ＮＴにゲートウェイ１２０（ルータ、ハブ内蔵）を介して接続されている情報線１１１とが、接続されている。そして、このような配線システムに本発明に係る音声伝送システムを組み込むことも可能である。
【図面の簡単な説明】
【００３６】
【図１】本発明の実施形態を示すシステム構成図である。
【図２】（ａ）は同上における同期信号の説明図、（ｂ）は同上における音声信号の説明図である。
【図３】同上における同期信号並びにタイムスロットのタイムチャートである。
【図４】同上における個別通話時の動作説明図である。
【図５】同上における一斉通話時の動作説明図である。
【図６】同上を組み込む配線システムのシステム構成図である。
【符号の説明】
【００３７】
１  主装置
２  端末装置
１０  制御部
１１  制御信号送受信部
１２  変調部
１４  メモリ部
１５  符号化部
２０ａ  マイクロホン
２１ａ  スピーカ
２５  制御部
２６  制御信号送受信部
２７  分離多重部
Ｌｓ  信号線
【図１】
0004661585.tif 000002
【図２】
0004661585.tif 000003
【図３】
0004661585.tif 000004
【図４】
0004661585.tif 000005
【図５】
0004661585.tif 000006
【図６】
0004661585.tif 000007